(57)【要約】【課題】使用時に、キャップをスパウトから分離してスパウトを開封しやすく、分離したキャップを紛失しにくく、使用後に、再封止がしやすいワンピース口栓を提供する。【解決手段】キャップとの咬合リングを内周面にもつスパウトの注出筒部の内周面上端に、環状薄肉脆弱線を介して、スパウトとの咬合リングを外周面上方にもちキャップの周壁部の先端部をスパウト内へ垂下して、スパウトの上方にキャップを接続するワンピース口栓において、キャップ100 の周壁部120 の外周面上方に、曲げ可能な小幅接続部101 を介して開封用環状つまみ130 を接続し、小幅接続部の両側のキャップの周壁部外周面と環状開封用つまみ内周面と間の環状の隙間131 を、小幅薄肉脆弱ブリッジ102 で一箇所又は多数箇所接続する。【選択図】図１
2005088945.tif 000002
【特許請求の範囲】
【請求項１】
キャップとの咬合リングを内周面にもつスパウトの注出筒部の内周面上端に、環状薄肉脆弱線を介して、前記スパウトとの咬合リングを外周面上方にもちキャップの周壁部の先端部を前記スパウト内へ垂下して、前記スパウトの上方に前記キャップを接続するワンピース口栓において、前記キャップの周壁部の外周面上方に、曲げ可能な小幅接続部を介して開封用環状つまみを接続し、前記小幅接続部の両側の前記キャップの周壁部外周面と前記環状開封用つまみ内周面と間の環状の隙間を、小幅薄肉脆弱ブリッジで一箇所又は多数箇所接続したことを特徴とするワンピース口栓。
【発明の詳細な説明】
【技術分野】
【０００１】
本発明は、スパウトの上方にキャップが接続している口栓であり、始めて開封するときに、キャップをスパウトから分離してスパウトを開封し、再封止するときには、キャップをスパウトへ押し込んで封止するワンピース口栓に関するものである。
【背景技術】
【０００２】
従来、ワンピース口栓は、使用時の便宜性を考慮して、液体用紙容器の注出位置に突設して使用するものである。そのワンピース口栓（１０）の構造は、例えば図２（ａ）及び（ｂ）に示すように、スパウト（２００）（注出具）の注出筒部（２２０）の内周面上端に、環状薄肉脆弱線（１１）を介して、キャップ（１００）の周壁部（１２０）の先端部をスパウトの注出筒内へ垂下した状態で、スパウトの上方にキャップを接続したものである。スパウト（２００）は、環状台座部（２１０）上に、内周面先端にキャップとの咬合リング（２２１）を設けた注出筒部（２２０）が立設され、環状台座部の外周面下端に、液体用紙容器（２０）の口栓取付孔（２１）の内面に超音波溶着法などで上面を溶着する溶着リング（２３０）が設けられており、キャップ（１００）は、天板（１１０）と周壁（１２０）とからなり、周壁の外周面上方に環状開封用つまみ（１３０）が設けられ、周壁の外周面中程にスパウトとの咬合リング（１２１）が設けられ、周壁下端部の外周面はスパウトに挿着し易いように下方へ曲面をもって狭くなっている。この口栓は、開封するときに、キャップの天板上を指で押圧してキャップをスパウト内に押し込んでキャップとスパウトを連結している環状薄肉脆弱線（１１）を一旦破断してキャップをスパウトから分離し、環状開封用つまみ（１３０）により、キャップをスパウトから取り外してスパウトを開封するものであった。そして、再封止するときには、スパウトの注出筒にキャップの環状開封用つまみの下方の周壁を押し込んで、キャップの咬合リング（１２１）をスパウトの咬合リング（２２１）に咬合させて封止するものであった。また、従来の他のワンピース口栓としては、スパウトの注出筒部の上端に、キャップを裏返しの状態で、接続部にＶ字状のカット溝を形成したものも知られていた（特許文献１参照）。
【特許文献１】特開平５−２２９５６６号公報
【発明の開示】
【発明が解決しようとする課題】
【０００３】
しかしながら、上述の従来のワンピース口栓は、口栓の径がφ１０mm以上になると、キャップをスパウトから分離するために強い力を必要とし、スパウトが開封しにくいことがあった。この対策としては、環状開封用つまみの外径寸法を大きくしてもよいが、液体用紙容器の注出位置に突設するときに、口栓取付孔の口径寸法には規制があるため、環状開封用つまみの外径寸法には自ずと限界があった。また、スパウトから分離したキャップを、内容物を注出しているときに、誤って紛失しやすいこともあった。
【０００４】
本発明は、上述の従来のワンピース口栓の問題点を解決したものであり、使用するときに、キャップをスパウトから分離してスパウトを開封しやすく、使用しているときに、キャップを紛失しにくく、また、使用したのち、再封止がしやすいワンピース口栓を提供するものである。
【課題を解決するための手段】
【０００５】
すなわち、本発明の発明は、キャップとの咬合リングを内周面にもつスパウトの注出筒部の内周面上端に、環状薄肉脆弱線を介して、前記スパウトとの咬合リングを外周面上方にもちキャップの周壁部の先端部を前記スパウト内へ垂下して、前記スパウトの上方に前
記キャップを接続するワンピース口栓において、前記キャップの周壁部の外周面上方に、曲げ可能な小幅接続部を介して開封用環状つまみを接続し、前記小幅接続部の両側の前記キャップの周壁部外周面と前記環状開封用つまみ内周面と間の環状の隙間を、小幅薄肉脆弱ブリッジで一箇所又は多数箇所接続したことを特徴とするワンピース口栓である。
【発明の効果】
【０００６】
本発明のワンピース口栓は、使用するときに、キャップの開封用環状つまみの小幅接続部と対向側を指で摘んで引き上げると、開封用環状つまみと周壁との隙間を接続している小幅薄肉脆弱ブリッジが切断され、開封用環状つまみが小幅接続部で折れ曲がって傾斜し、開封用環状つまみに指を入れることができるので、強くキャップを上方へ引き上げることができる。この結果、キャップとスパウトを接続する環状薄肉脆弱線が破断しやすく、キャップをスパウトから分離してスパウトを開封しやすい。
【０００７】
また、本発明のワンピース口栓は、開封用環状つまみに指を通してスパウトから分離したキャップを保持することができるので、注出しているときに、キャップを紛失することが防げる。
【０００８】
また、本発明の本発明のワンピース口栓は、使用したのち、スパウトから分離したキャップをスパウトの注出筒に押し込んで、キャップの咬合リングをスパウトの咬合リングに咬合させて封止するものであり、再封止がしやすい。
【発明を実施するための最良の形態】
【０００９】
次に、本発明のワンピース口栓の一実施形態について、図を用いて詳細に説明する。
【００１０】
本実施形態のワンピース口栓（１０）は、図１（ａ）に示すように、キャップ（１００）の周壁部（１２０）の先端部をスパウト（２００）の注出筒部（２２０）内へ垂下して、スパウトの注出筒部の内周面上端に、環状薄肉脆弱線（１１）を介して、スパウトの上方にキャップが一体に接続する口栓である。キャップ（１００）の構造は、天板部（１１０）と周壁部（１２０）とからなり、周壁部の外周面上方に環状開封用つまみ（１３０）を設け、周壁部の外周面中程にスパウトとの咬合リング（１２１）を設け、周壁部の外周面先端部は、スパウトの注出筒部（２２０）に挿着し易いように下方へ曲面をもって狭く形成するものである。環状開封用つまみ（１３０）は、図１（ａ）及び（ｂ）に示すように、曲げ可能な小幅接続部（１０１）を介してキャップの周壁部（１２０）の外周面に接続し、小幅接続部の両側のキャップの周壁部外周面と環状開封用つまみ内周面と間の環状の隙間（１３１）を、小幅薄肉脆弱ブリッジ（１０２）で周方向へ等間隔で３箇所接続するものである。なお、この小幅薄肉脆弱ブリッジの接続個数は、必要に応じた個数に製品設計するものである。スパウト（２００）の構造は、図１（ａ）に示すように、環状台座部（２１０）に注出筒部（２２０）を立設し、この注出筒部の内周面上端にキャップとの咬合リング（２２１）を設け、注出筒部の外周面下端に液体用紙容器（２０）の口栓取付孔（２１）の内面に超音波溶着法などで上面を溶着する溶着リング（２３０）が設けられるものである。なお、スパウトの咬合リングの位置は、必要に応じ、キャップの咬合リングに合わせて製品設計するものである。
【００１１】
本実施形態のワンピース口栓は、薄肉脆弱線や薄肉脆弱ブリッジが破断可能な材質、例えば低密度ポリエチレン、直鎖低密度ポリエチレンなどの熱可塑性樹脂を用いて、射出成形法によりキャップとスパウトとを一体成形して作製するものである。
【００１２】
液体用紙容器の注出位置に突設する上述の本実施形態のワンピース口栓は、キャップの開封用環状つまみの小幅接続部と対向側を指で摘んで引き上げると、開封用環状つまみと周壁との隙間を接続している小幅薄肉脆弱ブリッジが容易に切断され、開封用環状つまみが小幅接続部で折れ曲がって傾斜する。傾斜する開封用環状つまみに指を入れてキャップ
を上方へ引き上げると、口栓の径がφ１０mm以上であっても、キャップとスパウトを接続する環状薄肉脆弱線が容易に破断されて、キャップをスパウトから分離して、スパウトを開封することができる。取り外したキャップは、スパウトの注出筒部に押し込むことにより、スパウトを容易に封止することができる。
【図面の簡単な説明】
【００１３】
【図１】（ａ）は、本発明の一実施形態のワンピース口栓の構造を示す断面図であり、（ｂ）は、そのキャップの平面図である。
【図２】（ａ）は、従来の一例のワンピース口栓の構造を示す断面図であり、（ｂ）は、そのキャップの平面図である。
【符号の説明】
【００１４】
１０……ワンピース口栓
１１……環状薄肉脆弱線
２０……液体用紙容器
２１……口栓取付孔
１００……キャップ
１０１……小幅接続部
１０２……小幅薄肉脆弱ブリッジ
１１０……天板部
１２０……周壁部
１２１，２２１……咬合リング
１３０……環状開封用つまみ
１３１……隙間
２００……スパウト
２１０……環状台座部
２２０……注出筒部
２３０……貼着リング
【図１】
2005088945.tif 000003
【図２】
2005088945.tif 000004